(57)【要約】【課題】    外来、診療、病棟、職員・物流の各部門を効率的に配置し、各部門の機能向上と長寿命化を可能にした病院建築物を提供する。【解決手段】    中央に物流センター的用途の職員・物流部門１と研究所的用途の診療部門２を配置する。職員・物流部門１の一端側に研究所的用途の診療部門２、診療部門２の外側にオフィス的用途の外来部門３をそれぞれ配置する。職員・物流部門１の反対側に病棟部門４を配置する。これらの各部門は機能的に連続させ、かつ平面的に配置する。職員・物流部門１、診療部門２、外来部門３および職員・物流部門４の各部門には、セキュリティ、アメニティの観点からそれぞれ独立したアプローチ５を設ける。【選択図】              図１
2005344461.tif 000002
【特許請求の範囲】
【請求項１】
外来部門、診療部門、病棟部門、職員・物流部門を備えてなる病院建築物において、中央に職員・物流部門を配置し、その一端側に外来部門と診療部門を、他端側に病棟部門をそれぞれ機能的に連続させ、かつ平面的に配置してなることを特徴とする病院建築物。
【請求項２】
外来部門、診療部門、病棟部門、職員・物流部門を備えてなる病院建築物において、中央に職員・物流部門を配置し、その一端側に外来部門と診療部門を、他端側に病棟部門をそれぞれ機能的に連続させ、かつ平面的に配置して一ブロックとし、当該ブロックを並列に複数ブロック配置し、かつ各ブロックの職員・物流部門、診療部門をそれぞれ共用させてなることを特徴とする病院建築物。
【請求項３】
外来部門、診療部門、病棟部門、職員・物流部門にそれぞれ独立したアプローチが設けられていることを特徴とする請求項１または２記載の病院建築物。
【発明の詳細な説明】
【技術分野】
【０００１】
本願発明は外来、診療、病棟、職員・物流の各部門を備えた病院建築物に関し、各部門を効率的に配置し、病院建築の機能向上と長寿命化を可能にしたものである。
【背景技術】
【０００２】
都心部に建つ大学病院などの高度大規模病院は、一般に、機能的に外来部門、診療部門、病棟部門、管理部門、物流部門の各部門からなり、例えば、図６に図示するように地上１階に外来部門、地下階に物流部門がそれぞれ配置され、二階より上の階に診療、管理、病棟の各部門が立体的に配置されている。
【特許文献１】特開平５−８６７３５号公報
【発明の開示】
【発明が解決しようとする課題】
【０００３】
しかし、これらの部門を類似建築に置き換えると、外来部門はオフィス的、診療部門は研究所的、病棟部門は集合住宅、そして管理・物流部門は物流センターなる。また、これらの部門を備えた大学病院などの高度大規模病院は、建築モデュール、柱間寸法(スパン)および建築・設備のスペック(仕様)が異なる複数の建築からなる複合建築といえる。
【０００４】
また、この種の建物はいわゆるラーメン構造によって構築され、建物の構造上、一般に柱は全階を通して連続し、かつ等スパン(間隔)に配置されることから、特に柱は、建設コスト的に一番高い診療部門を基準に配置せざるを得ない。
【０００５】
また、構造計画上および平面計画上、さらには設備計画上、他の部門が診療部門の特殊性に影響されて、機能的にも妥協せざるを得ず全体的に各部門の機能を最高度に満たすような構造計画、平面計画、設備計画を採用することは実質的には不可能であった。つまり、病棟部、手術部、外来部などの経済柱間寸法(経済スパン)がそれぞれ異なるということである。
【０００６】
また、診療部門のシステムおよび医療機器の入れ替えに伴う改修工事でも病棟や外来などの他の部門に与える影響が病院経営上のマイナス要因になっていた。
【０００７】
本願発明は、以上の課題を解決するためになされたもので、特に外来、診療、病棟および職員・物流の各部門の機能的で効率的な配置が可能な病院建築物を提供することを目的とする。
【課題を解決するための手段】
【０００８】
請求項１記載の病院建築物は、外来部門、診療部門、病棟部門、職員・物流部門を備えてなる病院建築物において、中央に職員・物流部門を配置し、その一端側に外来部門と診療部門を、他端側に病棟部門をそれぞれ機能的に連続させ、かつ平面的に配置してなることを特徴とするものである。
【０００９】
本願発明は特に、外来、診療、病棟、職員・物流の各部門を機能的に連続させ、かつ平面的に配置することで、各部門ごとに独立した構造計画が可能になり、かつ間仕切りレイアウトの自由度が向上する。
【００１０】
また、各部門ごとに電力などのエネルギーを独立して供給できるため、他の部門に影響を与えず、経済的設計およびフレキシブルな設備メンテナンスが可能である。また、各部門を平面的に配置することで、構造・設備ともに最適化が可能になり、建物使用上のフレキシビィリティと長寿命化が図られ、それぞれの機能性と経済性も追及することができる。
【００１１】
また、外来、診療部門と病棟部門との間に職員・物流部門を配置して外来、診療部門を病棟部門から切り離すことにより、各部門における最適な構造計画を採用でき、外来、診療部門の柱スパンを飛ばした大空間を可能にすることができる。これにより間仕切りレイアウトの自由度が向上し、各部門のレイアトやシステム変更だけでなく、外来・診療部門における部門間のエリア変更にも柔軟に対応できるフレキシビリティを確保することができる。
【００１２】
また、各部門を平面的に配置することで、各部門ごとに最適なモデュール、柱間寸法および建築・設備のスペック(仕様)を適用することができ、診療部門のシステム・医療機器の更新に際し、他部門に影響を及ぼすことがない。なお、各部門はそれぞれ立体的(複数階建)に構築されていてもよい。
【００１３】
請求項２記載の病院建築物は、外来部門、診療部門、病棟部門、職員・物流部門を備えてなる病院建築物において、中央に職員・物流部門を配置し、その一端側に外来部門と診療部門を、他端側に病棟部門をそれぞれ機能的に連続させ、かつ平面的に配置して一ブロックとし、当該ブロックを並列に複数ブロック配置し、かつ各ブロックの職員・物流部門、診療部門をそれぞれ共用させてなることを特徴とするものである。
【００１４】
本願発明は、さらに外来、診療、病棟、職員・物流の各部門を一ブロック(これらの分門が平面的に配置されたものが「専門センター」である)とし、これを複数ブロック並列に配置し、各ブロックの診療部門を共用させることで、各ブロックの独立化と運営的効率化を同時に図れるようにしたものである。
【００１５】
請求項３記載の病院建築物は、請求項１または２記載の病院建築物において、外来部門、診療部門、病棟部門、職員・物流部門にそれぞれ独立したアプローチが設けられていることを特徴とするものである。
【００１６】
本願発明の場合、例えば外来、病棟部門のアプローチを独立に設けることで、外来患者と病棟患者関連のエントランスを分離することができ、病棟のセキュリティの向上を図ることができる。
【発明の効果】
【００１７】
本願発明は特に、外来、診療、病棟、職員・物流の各部門を機能的に独立かつ連続させ、平面的に配置することで、各部門ごとに独立した構造計画および間仕切りレイアウトの自由度が向上し、各部門のレイアウトやシステムの変更だけでなく、外来・診療部門における部門間のエリア変更にも柔軟に対応できるフレキシビリティを確保することができる等の効果を有する。
【発明を実施するための最良の形態】
【００１８】
図１〜図５は、本願発明の一例を示し、図において、中央に物流センター的用途の職員・物流部門１が配置され、その一端側に研究所的用途の診療部門２、診療部門２の外側にオフィス的用途の外来部門３がそれぞれ配置され、また職員・物流部門１の反対側に病棟部門４が配置されている。
【００１９】
これらの各部門は機能的に独立かつ連続し、平面的に配置されており、また、職員・物流部門１、診療部門２、外来部門３および職員・物流部門４の各部門には、セキュリティ、アメニティの観点からそれぞれ独立した職員・物流用、外来患者用および病棟患者関連用のアプローチ５が設けられている。
【００２０】
各部門がこのように配置されていることで、構造計画、平面計画および設備計画をする上で、各部門に最適なモデュール、柱間寸法および建築・設備のスペック(仕様)の採用が可能となり、構造、間仕切りレイアウトおよび設備的に効率化を図ることができる。また特に、診療部門２のシステムおよび医療機器の変更が他部門に影響を与えることがないので、診療部門２の改修工事の自由度が増し、病院経営への影響も少ない。
【００２１】
また、各部門に独立したアプローチ５が設けられていることで、例えば外来患者と病棟患者関連のエントランスを分離することにより、病棟部門４のセキュリティの向上が図れる。
【００２２】
さらに、外来・診療部門３、２と病棟部門４との間に職員・物流部門１が配置されていることで、職員・物流部門１から外来・診療部門３、２と病棟部門４にきわめて効率的にサービスを提供することができる。
【００２３】
図２〜４は、本願発明の他の例を示し、職員・物流部門１、診療部門２、外来部門３および病棟部門４の各部門を上記したように配置して１ブロック(専門センター)６とし、当該ブロック６を並列に複数ブロック配置し、かつ各ブロック６の職員・物流部門１どうし、診療部門２どうしをそれぞれ共用させてある。また、各ブロック６の病棟部門４は弾力的に使用できるように配置されている。
【００２４】
なお、増築する場合には、例えば図３および図５に図示するように、職員・物流部門１をその桁行き方向に機能的に連続させ、直線状に増築し、この職員・物流部門４の両側に外来・診療部門３、２と病棟部門４を職員・物流部門４に沿って複数棟構築すればよい。また、これらの部門は平面的に配置されるが、各部門は立体的に構築してもよい。
【００２５】
また、例えば図４に図示するように、各ブロック６ごとに職員・物流部門１、診療部門２、外来部門３および病棟部門４の各部門が平面的に配置されていることで、広い屋上スペース７が確保されるため、屋上スペース７を利用して設備計画的にも各ブロック６ごとに設備施設を配置することができるため、それぞれに他部門に影響を与えず、フレキシブルな設備メンテナンスおよび経済的な設備設計が可能である。
【産業上の利用可能性】
【００２６】
本願発明は、外来、診療、病棟、職員・物流の各部門を機能的に独立かつ連続させ、平面的に配置することで、各部門ごとに独立した構造計画および間仕切りレイアウトの自由度が向上し、各部門のレイアトやシステム変更だけでなく、外来・診療部門における部門間のエリア変更にも柔軟に対応できるフレキシビリティを確保することができる。
【図面の簡単な説明】
【００２７】
【図１】この発明の概要を示したブロック図であり、(ａ)は平面図、(ｂ)は立面図である。
【図２】この発明の概要を示したブロック平面図である。
【図３】この発明の概要を示した外観図である。
【図４】この発明の概要を示した斜視図である。
【図５】この発明の建築・設備モデュールの概要を示した斜視図である。
【図６】従来の病院建築物の概要を示した縦断面図である。
【符号の説明】
【００２８】
１  職員・物流部門
２  診療部門
３  外来部門
４  病棟部門
５  外来患者用、職員・物流用、病棟患者用のアプローチ
６  ブロック(専門センター)
７  屋上スペース
【図１】
2005344461.tif 000003
【図２】
2005344461.tif 000004
【図３】
2005344461.tif 000005
【図４】
2005344461.tif 000006
【図５】
2005344461.tif 000007
【図６】
2005344461.tif 000008